(57)【要約】【課題】  裏面が白紙のときには不要な反転動作を行わずに電力の浪費を防止すると共に画像読み取り動作の効率を向上させることができる画像読取装置を提供する。【解決手段】  原稿を搬送する搬送路上で原稿の表面の画像データを読み取った後に原稿を反転して裏面の画像データを読み取ることができるファクシミリ装置１００において、原稿の表面の画像データを読み取るイメージセンサ１を搬送路に対向させて備え、裏面における画像の有無を検出するセンサ２を搬送路を挟んでイメージセンサ１とは反対の側に備え、裏面に画像が無いことを検出した場合には、裏面の画像を読み取るための原稿の反転動作をしないようにする。【選択図】  図３
2005184677.tif 000002
【特許請求の範囲】
【請求項１】
原稿を搬送する搬送路上で前記原稿の片面の画像データを読み取った後に前記原稿を反転して反対側の面の画像データを読み取ることができる画像読取装置において、
前記原稿の片面の画像データを読み取る画像読取手段を搬送路に対向させて備え、前記画像読取手段で読み取った画像面の反対側の面における画像の有無を検出する検出手段を前記搬送路を挟んで前記画像読取手段とは反対の側に備え、前記反対側の面に画像が無いことを検出した場合には、前記反対側の面の画像を読み取るための前記原稿の反転動作をしないことを特徴とする画像読取装置。
【請求項２】
請求項１記載の画像読取装置において、
前記検出手段の読み取り幅は前記画像読取手段の読み取り幅より小さいことを特徴とする画像読取装置。
【請求項３】
請求項１記載の画像読取装置において、
前記検出手段の読み取り解像度は前記画像読取手段の読み取り解像度より低いことを特徴とする画像読取装置。
【請求項４】
請求項１記載の画像読取装置において、
前記検出手段を前記画像読取手段より前記搬送路の上流側に設置し、画像データの読み取りを行う前に前記反対側の面の画像の有無の検出処理を完了させ、且つ、前記反対側の面についてのデータの破棄も完了することを特徴とする画像読取装置。
【請求項５】
請求項１から請求項４のいずれかに記載の画像読取装置を備えたことを特徴とするファクシミリ装置。
【発明の詳細な説明】
【技術分野】
【０００１】
本発明は、原稿上の画像データを読み取るための画像読取装置及びファクシミリ装置に関し、特に電力の浪費を防止することができる画像読取装置及びファクシミリ装置に関する。
【背景技術】
【０００２】
原稿に記録された画像を読み取る画像読取装置などには、原稿の表と裏の両面を読み取ることが可能なものがある（例えば、特許文献１、２参照。）。このような装置では、両面読み取りを行う場合、読取動作の開始前に操作パネル等の設定手段によって両面読み取りの設定を行うのが一般的である。動作が開始されると、原稿は装置内に搬送されながらその両面の画像情報が自動的に読み取られる。両面が読み取られた原稿は再度反転されて画像面の向きが原稿セット時の向きと同じになって排出される。
【特許文献１】特許第２７５８８１１号公報
【特許文献２】特開平１０−２６８４４２号公報
【発明の開示】
【発明が解決しようとする課題】
【０００３】
しかしながら、セットする原稿が複数枚で表面のみ画像記載の原稿（裏面白紙）を含む場合には、表面の読み取りの後、画像のない裏面も読み取るので、不要な反転動作とこれに伴う搬送動作にエネルギーが費やされ、駆動電力を浪費するという問題が生じる。
そこで、本発明は、上述した実情を考慮してなされたもので、裏面が白紙のときには不要な反転動作を行わずに電力の浪費を防止すると共に画像読み取り動作の効率を向上させることができる画像読取装置を提供することを目的とする。
【課題を解決するための手段】
【０００４】
上記の課題を解決するために、請求項１に記載の発明は、原稿を搬送する搬送路上で前記原稿の片面の画像データを読み取った後に前記原稿を反転して反対側の面の画像データを読み取ることができる画像読取装置において、前記原稿の片面の画像データを読み取る画像読取手段を搬送路に対向させて備え、前記画像読取手段で読み取った画像面の反対側の面における画像の有無を検出する検出手段を前記搬送路を挟んで前記画像読取手段とは反対の側に備え、前記反対側の面に画像が無いことを検出した場合には、前記反対側の面の画像を読み取るための前記原稿の反転動作をしない画像読取装置を最も主要な特徴とする。
また、請求項２に記載の発明では、請求項１記載の画像読取装置において、前記検出手段の読み取り幅は前記画像読取手段の読み取り幅より小さい画像読取装置を主要な特徴とする。
また、請求項３に記載の発明では、請求項１記載の画像読取装置において、前記検出手段の読み取り解像度は前記画像読取手段の読み取り解像度より低い画像読取装置を主要な特徴とする。
また、請求項４に記載の発明では、請求項１記載の画像読取装置において、前記検出手段を前記画像読取手段より前記搬送路の上流側に設置し、画像データの読み取りを行う前に前記反対側の面の画像の有無の検出処理を完了させ、且つ、前記反対側の面についてのデータの破棄も完了する画像読取装置を主要な特徴とする。
また、請求項５に記載の発明では、請求項１から請求項４のいずれかに記載の画像読取装置を備えたファクシミリ装置を主要な特徴とする。
【発明の効果】
【０００５】
本発明によれば、裏面に画像が無いことを検出した場合には不要な反転動作を行わないので、消費電力の浪費を防止すると共に画像読み取り動作の効率を向上させることができる。
【発明を実施するための最良の形態】
【０００６】
以下、図面を参照して、本発明の実施形態を詳細に説明する。図１は本発明の実施形態である画像読取装置を用いたファクシミリ装置１００の外観を示す斜視図であり、図２はファクシミリ装置１００の制御ブロック図である。図１に示すように、ファクシミリ装置１００は原稿をセットする原稿配置部１０、原稿が排出される原稿排出部９、原稿の読み取り動作の設定やデータの送信・受信の設定などの装置操作を行う操作部５などを備えている。また、図２のように、ファクシミリ装置１００の制御系では、操作部５、書込み部１２、読取部１３、記憶装置１４、ＮＣＵ１５、演算部１６、モデム１７、制御部１８、表示部１９、メモリ２０を備えている。
図３〜図８は原稿の搬送過程を示すファクシミリ装置１００の要部断面図である。図に示すように、装置内部には原稿を搬送するための搬送路が構成され、搬送路上で原稿についての情報を読み取るようになっている。情報の読み取りでは、原稿の画像を読み取る画像読取手段としてのイメージセンサ１と、原稿表面の画像の有無を検出する検出手段としてのセンサ２が用いられ、これらは上述の読取部１３を構成している。
センサ２は画像の有無を検出するだけであるからイメージセンサ１よりも解像度を小さく設定し、図９のように読み取り幅も短くし、この例では半分の長さに設定している。このように、センサ２の読み取り幅を短く解像度を小さくすることでコストの低減が可能となる。画像有無の判断は、センサ２から記憶装置１４に保存された２値の画像データのデータサイズから書かれている黒字率（黒データの量）を算出して判断している。
イメージセンサ１は表面を上にしてセットされた原稿を装置内に搬送したときに搬送しながら表面の画像を読み取ることができるように、図のように搬送されてきた原稿の表面と対向する側であって搬送路の近傍に配設されている。これに対して、センサ２は画像を読み取るための搬送路において原稿の裏面の画像の有無を検出するので、搬送されてきた原稿の裏面と対向する側の搬送路の近傍に配設されている。つまり、センサ２は搬送路を挟んでイメージセンサ１の反対側に配されている。
【０００７】
搬送動作について説明すると、図３のように表面を上にして原稿配置部１０にセットされた原稿はセンサ２を通って原稿の裏面の画像の有無が検出され、次にイメージセンサ１を通って原稿の表面の画像情報が読み取られる（図４）。そして、センサ２によって原稿の裏面に画像が有ることが検出された場合には原稿を反転ローラ３のある反転位地まで搬送し（図５）、再びセンサ２がある搬送路に流される（図６）。これにより、原稿は反転されることになるため、原稿の表面がセンサ２に対向するようになる。
すなわち、原稿の裏面がイメージセンサ１に対向するようになる。そして、図７のように裏面の画像情報が読み取られた原稿は再度反転されて（図５，図６）画像面の向きが原稿セット時の向きと同じになって排紙ローラ４によって原稿排出部９に排出される（図８）。なお、裏面の画像の有無の検出処理は表面の画像データの読み取りを行う前に完了し、且つ、裏面についてのデータの破棄も完了するようになっている。これにより、画像処理を行う回路への負荷を軽減でき、読み取った原稿の画像データを保存する記憶装置１４の容量を小さくすることができる。
また、センサ２によって原稿の裏面に画像が無いことが検出された場合には上述した反転動作を行わずに表面の画像を読み取っただけで排紙ローラ４によって原稿排出部９に排出される。したがって、不要な反転動作を行わないので、消費電力の浪費を防止すると共に画像読み取り動作の効率を向上させることができる。
反転された原稿は表と裏が逆になるだけでなく、前後の向きも逆になる。このため、読み取ったデータを書き込む時のことを考慮して画像の向きが表面と裏面で逆にならないようにデータの変換をしている。図１０及び図１１はデータの入れ替えの要領を示す説明図である。裏面のデータが主走査方向にｎ個あって、副走査方向にｍ本あった場合、ｍ本目のデータのｎ番目のデータを１本目のデータの１番目に移動する。ｍ本目のデータの（ｎ−１）番目のデータを１本目のデータの２番目に移動する。同様の操作をｍ本目のデータ全部（ｎ個）で繰り返す。
次に、（ｍ−１）本目のデータのｎ番目のデータを２本目のデータの１番目に移動する。（ｍ−１）本目のデータの（ｎ−１）番目のデータを２本目のデータの２番目に移動する。同様の操作を（ｍ−１）本目のデータ全部（ｎ個）で繰り返す。（ｍ−２）本目以降のデータも同様に並べ替える。こうして並べ替えたデータを記憶装置１４に保存する。保存されたデータは必要な処理に応じて送信され、書き込み動作などに用いられる。
【図面の簡単な説明】
【０００８】
【図１】本発明の実施形態である画像読取装置を用いたファクシミリ装置１００の外観を示す斜視図である。
【図２】ファクシミリ装置１００の制御ブロック図である。
【図３】原稿の搬送過程を示すファクシミリ装置１００の要部断面図（全搬送路）である。
【図４】原稿の搬送過程を示すファクシミリ装置１００の要部断面図（表面読み取り時）である。
【図５】原稿の搬送過程を示すファクシミリ装置１００の要部断面図（反転動作１）である。
【図６】原稿の搬送過程を示すファクシミリ装置１００の要部断面図（反転動作２）である。
【図７】原稿の搬送過程を示すファクシミリ装置１００の要部断面図（裏面読み取り時）である。
【図８】原稿の搬送過程を示すファクシミリ装置１００の要部断面図（排紙時）である。
【図９】イメージセンサ１とセンサ２の斜視図である。
【図１０】データ入れ替えの説明図（１枚目）である。
【図１１】データ入れ替えの説明図（２枚目）である。
【符号の説明】
【０００９】
１  イメージセンサ
２  センサ
３  反転ローラ
４  排紙ローラ
５  操作部
９  原稿排出部
１０  原稿配置部
１２  書込み部
１３  読取部
１４  記憶装置
１５  ＮＣＵ
１６  演算部
１７  モデム
１８  制御部
１９  表示部
２０  メモリ
１００  ファクシミリ装置
【図１】
2005184677.tif 000003
【図２】
2005184677.tif 000004
【図３】
2005184677.tif 000005
【図４】
2005184677.tif 000006
【図５】
2005184677.tif 000007
【図６】
2005184677.tif 000008
【図７】
2005184677.tif 000009
【図８】
2005184677.tif 000010
【図９】
2005184677.tif 000011
【図１０】
2005184677.tif 000012
【図１１】
2005184677.tif 000013